(57)【特許請求の範囲】
【請求項１】
前後一対の振り分け片がその下端で互いに固着され上方に向かって二股に分岐させた振り分け部を有し、各振り分け片をコイン通路面の前後に出没させて、各振り分け片に落下した投入コインを２方向に振り分けるコイン振り分け装置において、
前記後側振り分け片を駆動源に連結する連結板に固着するとともに、該後側振り分け片と該連結板との固着面積は各振り分け片の下端同士の固着面積より大きくし、前記前側振り分け片のコイン受け角度は該後側振り分け片のコイン受け角度よりも小さくしたことを特徴とするコイン振り分け装置。
【請求項２】
前記振り分け部は複数有し、該各振り分け部の後側振り分け片を前記連結板で一体に連結した
ことを特徴とする請求項１記載のコイン振り分け装置。
【発明の詳細な説明】
【０００１】
【発明の属する技術分野】
本発明は、自動販売機等に搭載されたコイン処理装置の部品で、投入されたコインを金種別に振り分けるコイン振り分け装置に関するものである。
【０００２】
【従来の技術】
自動販売機から商品購入を購入する際に投入されたコインを処理するため、コイン処理装置が搭載されており、このコイン処理装置にはコインを金種毎に振り分けるコイン振り分け装置が設置されている。このコイン振り分け装置の各振り分け部は、投入コインを、偽貨、５０円コイン、１０円コイン、１００円コイン、５００円コインに振り分け、各種コインチューブや金庫に収納したり、或いは、返却口に返却する。
【０００３】
この各振り分け部のタイプとして、回動フラッパをソレノイドで回動させて振り分けるものや、また、上方に向かって二股に分岐させた振り分け片をソレノイドでコイン通路面の前後に出没させ振り分けるものが知られている（特開平４−４０７５４号公報）。
【０００４】
この後者の振り分け部は、各振り分け片が前後に配置されその下端を固着するとともに、後方の振り分け片には連結部材を介してソレノイドに連結している。
【０００５】
ここで、ソレノイドが非励磁状態となっているときは、上方から落下する投入コイン（例えば１０円コイン）を後側振り分け片で受け、これを１０円コインチューブに振り分ける。一方、ソレノイドが励磁状態となっているときは、この振り分け部をコイン通路の後方に引き、前方の振り分け片でコイン（例えば５０円）を受け、これを５０円コインチューブに振り分ける。
【０００６】
【発明が解決しようとする課題】
しかしながら、後者の振り分け部では、樹脂製の各振り分け片がその下端で固着されているだけであるため、コインの落下衝撃に対して十分な受容強度を有していない。従って、長期間に亘って使用するときは振り分け片が変形し、コイン処理をスムースに行うことができないという問題点を有していた。また、このコイン処理の遅延は、連続して投下されるコイン同士の接触を招来し、コイン詰まりを起こすという問題点を有している。
【０００７】
一方、各振り分け片の強度を向上させるため、振り分け片自体を厚肉にする等の解決方法もあるが、これでは振り分け部が大型化し、スペース効率が厳しく要求されるコイン振り分け装置では採用しがたい解決方法である。
【０００８】
また、各振り分け片の固定端が下端のみとなっているため、各振り分け片の弾性力が各振り分け片の下端から上端に亘って全体に作用する。従って、落下コインが各振り分け片に衝突した際、振り分け片の弾性力によりコインが上方に向かって大きく弾み、これがまた後続のコインと衝突してコイン詰まりの原因ともなっていた。
【０００９】
本発明の目的は前記従来の課題に鑑み、落下コインに対する衝撃に対して十分な強度で、かつ、コイン詰まりを防止できるコイン振り分け装置を提供することにある。
【００１０】
【課題を解決するための手段】
本発明は前記従来の課題に鑑み、請求項１の発明は、前後一対の振り分け片がその下端で互いに固着され上方に向かって二股に分岐させた振り分け部を有し、各振り分け片をコイン通路面の前後に出没させて、各振り分け片に落下した投入コインを２方向に振り分けるコイン振り分け装置において、後側振り分け片を駆動源に連結する連結板に固着するとともに、後側振り分け片と連結板との固着面積は各振り分け片の下端同士の固着面積より大きくし、前側振り分け片のコイン受け角度は後側振り分け片のコイン受け角度よりも小さくした構造となっている。
【００１１】
この発明によれば、後側振り分け片の固着面積が大きくなっているため、この振り分け片の強度が連結板により補強されている。また、連結板との固着面積が大きい分、後側振り分け片の弾性力が小さくなり、落下コインが振り分け片に衝突した際、その上方への弾みも小さくなる。
【００１２】
一方、前側振り分け片は後側振り分け片より強度的に劣り、また、弾性力も大きくなっているが、その分、前側振り分け片のコイン受け角度を後側振り分け片のコイン受け角度よりも小さくしている。従って、前側振り分け片に落下するコインの衝撃が弱く、また、この落下衝撃に伴う弾発力も小さくなっている。
【００１３】
なお、請求項２の発明の如く、複数の振り分け部を連結板で一体に連結し、１個の駆動源にて複数の振り分け部を動作させるようにしても良い。
【００１４】
【発明の実施の形態】
図１乃至図６は本発明に係るコイン振り分け装置の一実施形態を示すもので、図１はコイン処理装置のコイン識別部及びコイン振り分け部を示す内部構造図、図２はコイン処理装置のコイン振り分け部及びコイン収納部の構造を示す斜視図、図３の(a)(b)は第２振り分け部の動作を示す断面図、図４の(a)(b)は第６振り分け部及び第７振り分け部の動作を示す断面図、図５は第６振り分け部及び第７振り分け部の正面図、図６の(a)(b)は第６振り分け部及び第７振り分け部の振り分け動作を示す説明図である。
【００１５】
まず、コイン処理装置の概略構成を図１及び図２を参照して説明する。即ち、このコイン処理装置は例えば自動販売機に搭載されており、投入口１から投入されたコイン（１０円コイン、５０円コイン、１００円コイン、５００円コイン）を識別するコイン識別部１０と、コイン識別部１０で識別されたコインを振り分けるコイン振り分け部２０と、コイン振り分け部２０で振り分けられたコインを収納するコイン収納部３０とから構成されており、購入商品に対する金銭処理を行っている。
【００１６】
コイン識別部１０は通常所定周波数の信号を投入コインに発信し、その受信周波数の変化に基づき、正貨、偽貨、更には１０円コイン、５０円コイン、１００円コイン、５００円コインの種別を識別している。
【００１７】
コイン振り分け部２０は、コイン転動の上手側から下手側に向かって、第１〜第８の振り分け部２０１〜２０８を有している。
【００１８】
ここで、第１振り分け部２０１は、回動フラッパ２０１ａをソレノイドＳＣ１で回動し、偽貨を図示しない返却口に返却する一方、正貨を第２振り分け部２０２に向かって落下する。このように、第１振り分け部２０１は投入コインの真偽に基づき振り分ける機能を有している。
【００１９】
第２振り分け部２０２は、図３の(a)(b)にも示すように、第１振り分け部２０１で正貨を判定されたコインを１００円コインとそれ以外の１０円コイン、５０円コイン及び５００円コインに振り分けるものである。この第２振り分け部２０２は二股に分岐した前後の振り分け片２０２ａ，２０２ｂを有し、これをソレノイドＳＣ２でコイン通路Ａから出没させている。このソレノイドＳＣ２が非励磁（ＯＦＦ）のときは、図３の(a)に示すように、１０円コイン、５０円コイン及び５００円コインを後方の振り分け片２０２ｂに転動させて第３振り分け部２０３に向かって案内する。一方、励磁状態（ＯＮ）のときは図３の(b)に示すように、第２振り分け部２０２を後方に向かって引き、これにより、１００円コインを前方の振り分け片２０２ａに落下させて第４振り分け部２０４に向かって案内している。
【００２０】
第３振り分け部は２０３は、第２振り分け部２０２で振り分けられた１０円コイン及び５０円コインと５００円コインに振り分けるものである。この第３振り分け部２０３はその回動フラッパ２０３ａを回動し、５００円コインをその内側に導入する一方、１０円及び５０円を後述する第７振り分け部２０７に向かって落下させている。なお、この第３振り分け部２０３には５００円コインをその先端で一時保留する第１の一時保留部２１１を有し、また、この第３振り分け部２０３の近傍にはコイン通路Ａから出没する第２の一時保留部を有している。
【００２１】
第４振り分け部２０４はその回動フラッパ２０４ａをソレノイドＳＣ４で回動し、１００円コインを金庫通路Ｂ（回動フラッパ２０４ａの裏側）に導き図示しない金庫に導入する一方、１００円コインを回動フラッパ２０４ａの表面側に転動させ、後述する第６振り分け部に向かって落下させるようになっている。
【００２２】
第５振り分け部２０５は、第３振り分け部２０３及び各一時保留部２１１，２１２を通って転動した５００円コインを、返却口（図示しない）に連通する返却通路Ｃとコイン収納部（金庫通路Ｂ及び５００円用のコインチューブＣＴ５００）に振り分けるもので、ソレノイドＳＣ５により回動フラッパ２０５ａを回動し、振り分ける。
【００２３】
第６振り分け部２０６、第７振り分け部２０７及び第８振り分け部２０８は、ソレノイドＳＣ６により制御されるもので、このソレノイドＳＣ６に連結する連結板２０９に一体に形成されている。
【００２４】
まず、第６振り分け部２０６を図５及び図６の(a)(b)を参照して説明する。第６振り分け部２０６は、第４振り分け部２０４で振り分けられた１００円コインを１００円用のコインチューブＣＴ１００と空きチューブＣＴ０に振り分けるものである。第６振り分け部２０６は、樹脂製で二股に分岐した前後の振り分け片２０６ａ，２０６ｂを有し、各振り分け片２０６ａ，２０６ｂの下端を固着して略Ｙ字形となっている。また、コイン通路Ａには各振り分け片２０６ａ，２０６ｂが挿通する貫通穴２０６ｃを有し、ソレノイドＳＣ６の励磁・非励磁により連この貫通穴２０６ｃを通じて各振り分け片２０６ａ，２０６ｂを前後に往復動するようになっている。
【００２５】
ここで、ソレノイドＳＣ６が非励磁（ＯＦＦ）のときは、図４の(a)及び図６の(a)に示すように、１００円コインを後側振り分け片２０６ｂに転動させてコインチューブＣＴ１００に落下・収納する。一方、励磁状態（ＯＮ）のときは、図４の(b)及び図６の(b)に示すように、連結板２０９を後方に引き、これにより、１００円コインを前側振り分け片２０６ａに落下させて空きコインチューブＣＴ０に落下・収納する。
【００２６】
また、各振り分け片２０６ａ，２０６ｂの下端の固着部（図５のWb2）と連結板２０９と後側振り分け片２０６ｂとの固着部（図５のWa2）と比較するとき、連結板２０９の幅分、Wb2＜Wa2となっている。このように、後側振り分け片２０６ｂの固着面積が大きい分、後側振り分け片２０６ｂの取付強度が前側振り分け片２０６ａの取付強度より高くなっている。
【００２７】
更に、各振り分け片２０６ａ，２０６ｂの弾発力は、固着されていない部分が長ければ長いほど大きくなる。ここで、固着されていない部分、即ち、前側振り分け片２０６ａでは図５のWb1、後側振り分け片２０６ｂでは図５のWa1であり、両者がWb1＞Wa1となっているため、弾発力は後側振り分け片２０６ｂより前側振り分け片２０６ａの方が大きくなっている。
【００２８】
更にまた、図６に示すように、１００円コインは第６振り分け部２０６の上方から落下するが、コイン落下に対する各振り分け片２０６ａ，２０６ｂの衝撃荷重はコイン受け角度（θ1，θ2）により大きく変化する。即ち、コイン受け角度が小さいときは衝撃荷重が小さく、一方、大きいときはこの衝撃荷重も大きくなる。ここで、前側振り分け片２０６ａのコイン受け角度はθ2であり、一方後側振り分け片２０６ｂのコイン受け角度はθ1であり、θ2＜θ1となっている。即ち、前側振り分け片２０６ａの衝撃荷重が後側振り分け片２０６ｂの衝撃荷重より小さくなっている。
【００２９】
第７振り分け部２０７は、第３振り分け部２０３で振り分けられた１０円・５０円コインを、１０円用のコインチューブＣＴ１０と５０円用のコインチューブＣＴ５０に振り分けるものである。
【００３０】
この第７振り分け部２０７は前述した第６振り分け部２０６と同様の構造となっており、二股に分岐した前後の振り分け片２０７ａ，２０７ｂを貫通穴２０７ｃを通じてコイン通路Ａから出没させるもので、ソレノイドＳＣ６が非励磁（ＯＦＦ）のときは、図４の(a)及び図６の(a)に示すように、１０円コインを後側振り分け片２０７ｂに落下させてコインチューブＣＴ１０に落下・収納する。一方、図６の(b)に示すように、励磁状態（ＯＮ）のときは、図４の(b)及び図６の(b)に示すように、連結板２０９を後方に引き、これにより、５０円コインを前側振り分け片２０７ａに落下させてコインチューブＣＴ５０に落下・収納する。
【００３１】
また、各振り分け片２０７ａ，２０７ｂの固着部Wd2と連結板２０９及び後側振り分け片２０７ｂの固着部Wc2と比較するとき、図５に示すように、Wd2＜Wc2となっている。逆に各振り分け片２０７ａ，２０７ｂの固着されていない部分を比較するとき、図５に示すように、Wd1＞Wc1となっており、前記第６振り分け部２０６と同様に後側振り分け片２０７ｂより前側振り分け片２０７ａの方が、その弾発力が大きくなっている。更に、図５に示すように、前側振り分け片２０７ａのコイン受け角度はθ4であり、一方後側振り分け片２０７ｂのコイン受け角度はθ3であり、θ4＜θ3となっているため、前側振り分け片２０７ａの衝撃荷重が後側振り分け片２０７ｂの衝撃荷重より小さくなっている。
【００３２】
第８振り分け部２０８は、５００円コインを金庫通路又はコインチューブＣＴ５００に振り分けるもので、図２に示すように先端に向かって平行に延びる二股の案内隔壁２０８ａ，２０８ｂを有する。また、各案内隔壁２０８ａ，２０８ｂは斜め内側に向かってコイン滑走面を有し、このコイン滑走面にて５００円コインを底面中央の出口２０８ｃに案内している。ここで、ソレノイドＳＣ６が非励磁（ＯＦＦ）のときは、５００円コインをコインチューブＣＴ５００に導き、一方、励磁状態（ＯＮ）のときは、５００円コインを後方の金庫通路Ｂに導く。
【００３３】
以上のように構成されたコイン振り分け装置において、第６振り分け部２０６及び第７振り分け部２０７の各振り分け片２０６ａ，２０６ｂ，２０７ａ，２０７ｂが前述の如く、固着面積についてはWb2＜Wa2及びWd2＜Wc2（各振り分け片の強度）、非固着部分についてはWb1＞Wa1及びWd1＞Wc1（各振り分け片の弾発力）、コイン受け角度についてはθ2＜θ1及びθ4＜θ3（各振り分け片に対する衝撃荷重）とそれぞれなっている。
【００３４】
即ち、後側振り分け片２０６ｂ，２０７ｂのコイン受け角度が大きくし（θ1，θ3）、図６の(a)(b)に示すように、各振り分け部２０６，２０７より多少離隔したコインチューブＣＴ１０，ＣＴ１００にコインを収容する場合にあっても（L1＞L2，L3＞L4）、後側振り分け片２０６ｂ，２０７ｂの強度が高くなっているので、後側振り分け片２０６ｂ，２０７ｂが変形したり或いは破損することがない。
【００３５】
また、後側振り分け片２０６ｂ，２０７ｂの非固着部分が僅かとなっているため、後側振り分け片２０６ｂ，２０７ｂの弾性力が小さくなっている。これにより、落下コインがこの振り分け片２０６ｂ，２０７ｂで大きく弾むことがなく、各コインチューブＣＴ１０，ＣＴ１００にスムースに収納されるため、後続の落下コインとの接触によるコイン詰まりを防止できる。
【００３６】
一方、前側振り分け片２０６ａ，２０７ａの強度は後側振り分け片２０６ｂ，２０７ｂより低く、また、前側振り分け片２０６ａ，２０７ａの弾発力が後側振り分け片２０６ｂ，２０７ｂより高くなっているが、その分、コイン受け角度が小さくしている（θ2，θ4）。これにより、落下コインによる衝撃荷重が小さく、前側振り分け片２０６ａ，２０７ａが変形したり或いは破損することがないし、また、落下コインの弾みが小さく、コインチューブＣＴ５０，ＣＴ０にスムースに収納される。
【００３７】
【発明の効果】
以上説明したように、本発明によれば、後側振り分け片は連結板と固着して落下コインに対して十分な強度とすることができ、また、前側振り分け片はコイン受け角度を小さくして落下コインによる衝撃荷重を小さくしているため、各振り分け片が変形したり、或いは、破損することがない。
【００３８】
また、これら固着面積の拡大並びにコイン受け角度の狭小化は、同時に各振り分け片の弾発力の低減を図ることができ、これにより、投入コインがコインチューブにスムースに収納され、コイン詰まりを防止できる。
【図面の簡単な説明】
【図１】コイン処理装置のコイン識別部及びコイン振り分け部を示す内部構造図
【図２】コイン処理装置のコイン振り分け部及びコイン収納部の構造を示す斜視図
【図３】第２振り分け部の動作を示す断面図
【図４】第６振り分け部及び第７振り分け部の動作を示す断面図
【図５】第６振り分け部及び第７振り分け部の正面図
【図６】第６振り分け部及び第７振り分け部の振り分け動作を示す説明図
【符号の説明】
１０…コイン識別部、２０…コイン振り分け部、３０…コイン収納部、２０１〜２０８…各振り分け部、２０６ａ，２０７ａ…前側振り分け片、２０７ｂ，２０７ｂ…後側振り分け片、ＳＣ１〜ＳＣ６…ソレノイド、Ａ…コイン通路。
【図１】
0004542671.tif 000002
【図２】
0004542671.tif 000003
【図３】
0004542671.tif 000004
【図４】
0004542671.tif 000005
【図５】
0004542671.tif 000006
【図６】
0004542671.tif 000007